(57)【要約】【課題】単純な操作指示で画像の表示内容を変更する。【解決手段】画像表示装置（１）の表示パネル（１１）に地図画像を表示させ、指またはタッチペンなどの指示手段（Ｕ）をタッチパネル（１２）に接触させて移動させる操作指示を行う。タッチパネル（１２）から出力される検出信号に基づき、操作解析部（２２）によって、指示手段（Ｕ）がタッチパネル（１２）に接触開始した接触開始位置と、指示手段（Ｕ）のタッチパネル（１２）上での移動方向とを検出する。操作指示によって、表示パネル（１１）の地図表示範囲を、接触開始位置（Ｐ）に対応する地図画像上の点を描画基準位置（Ｓ）に一致させるとともに、指示手段（Ｕ）の移動方向が表示パネル（１１）の上方を向くように回転させた表示範囲に変更する。一動作で、表示内容を切り替えることが可能な地図表示装置を提供できる。【選択図】    図３
2014052817.tif 000002
【特許請求の範囲】
【請求項１】
画像を表示する表示手段と、画像に接触して該画像の表示を操作する指示手段と、該指示手段が画像に接触した位置および該指示手段の移動方向を検出する操作解析手段とを用いて実行される画像表示方法であって、
前記表示手段によって画像の所望範囲を表示させる画像表示工程と、
前記表示手段によって表示された画像に前記指示手段を接触させ、該指示手段と前記画像との接触状態を保持したまま、該指示手段を移動させる操作指示工程と、
前記操作指示工程において、前記指示手段が前記画像に接触した接触開始位置および前記指示手段の移動方向を前記操作解析手段により検出する操作解析工程と、
前記画像の表示範囲を、前記接触開始位置が前記表示手段にあらかじめ定められる描画基準位置に一致するように移動させるとともに、前記移動方向が前記表示手段の上方に向くように必要な回転量だけ前記表示範囲を回転させた範囲に変更する画像変更工程とを含むことを特徴とする画像表示方法。
【請求項２】
表示パネルと該表示パネルの上に重ねて設けられるタッチパネルとを備える画像表示装置と、前記タッチパネルに接触して画像の表示を操作する指示手段とを用いて実行される画像表示方法であって、
前記表示パネルに画像の所望範囲を表示させる画像表示工程と、
前記タッチパネルに前記指示手段を接触させ、該指示手段と該タッチパネルとの接触状態を保持したまま、該指示手段を該タッチパネル上で移動させる操作指示工程と、
前記指示手段が前記タッチパネルに接触を開始した接触開始位置および前記指示手段の移動方向を前記操作指示工程において検出する操作解析工程と、
前記画像の表示範囲を、前記接触開始位置が前記表示パネルにあらかじめ定められる描画基準位置に一致するように移動させるとともに、前記移動方向が前記表示パネルの上方に向くように必要な回転量だけ前記表示範囲を回転させた範囲に変更する画像変更工程とを含むことを特徴とする画像表示方法。
【請求項３】
表示パネルと該表示パネルに対する接触状態を検出する接触センサとを備える画像表示装置と、前記表示パネルに接触して画像の表示を操作する指示手段とを用いて実行される画像表示方法であって、
前記表示パネルに画像の所望範囲を表示させる画像表示工程と、
前記表示パネルに前記指示手段を接触させ、該指示手段と該表示パネルとの接触状態を保持したまま、該指示手段を該表示パネル上で移動させる操作指示工程と、
前記指示手段が前記表示パネルに接触した接触開始位置および前記指示手段の移動方向を前記操作指示工程の際に前記接触センサによって検出する操作解析工程と、
前記画像の表示範囲を、前記接触開始位置が前記表示パネルにあらかじめ定められる描画基準位置に一致するように移動させるとともに、前記移動方向が前記表示パネルの上方に向くように必要な回転量だけ前記表示範囲を回転させた範囲に変更する画像変更工程とを含むことを特徴とする画像表示方法。
【請求項４】
前記画像が地図画像であることを特徴とする請求項１〜３のいずれかに記載の画像表示方法。
【請求項５】
自己位置を検出する自己位置検出工程をさらに含み、当該自己位置検出工程で検出した自己位置を示す画像を、前記地図画像に重ねて表示することを特徴とする請求項４に記載の画像表示方法。
【請求項６】
前記描画基準位置は、画像表示範囲内の任意の位置に設定可能であることを特徴とする請求項１〜５のいずれか１つに記載の画像表示方法。
【請求項７】
画像を表示する表示手段と、
画像の表示を操作するための指示手段の位置および該指示手段の移動方向を検出する操作解析手段と、
前記表示手段によって表示された画像に前記指示手段が接触し、該指示手段が該画像との接触状態を保持したまま移動したときに、前記表示手段が表示する画像の表示範囲を、前記操作解析手段が検出した前記指示手段の接触開始位置を前記表示手段にあらかじめ定められる描画基準位置と一致するように移動させるとともに、前記操作解析手段が検出した前記指示手段の移動方向が前記表示手段の上方を向くように必要な回転量だけ前記表示範囲を回転させた範囲に変更する画像変更手段とを備えることを特徴とする画像表示装置。
【発明の詳細な説明】
【技術分野】
【０００１】
本発明は、表示パネルなどの表示手段に表示される画像を、画像内の任意の位置を描画基準位置とする画像に、一動作で変更することが可能な画像表示方法および画像表示装置に関する。
【背景技術】
【０００２】
画像を表示する表示装置であるＰＤＡ（Personal Digital Assistants）やカーナビゲーション装置などにあっては、使用者が指やタッチペンなどの指示手段を表面に接触させることにより、あるいは、指示手段を接触させて移動させる操作指示により、表示内容を変更する技術が従来採用されている。
【０００３】
たとえば、特許文献１に、ＰＣ（パーソナルコンピュータ）、ＰＤＡ、カーナビゲーション装置などの画像表示装置の表示パネルに、地図画像と、地図画像上で指定した視点から見た視野画像情報とを表示させ、表示パネルに設けた検出部によって、指を接触させた位置と、指を接触させたときの指先が向いている方向（指示方向）とを検出し、検出した接触位置により地図画像上の視点位置を指定し、検出した指示方向により該視点からの視線方向を指定した、新たな視野画像情報を表示パネルに表示させる地図情報表示方法が記載されている。特許文献１の従来技術は、直感的かつ容易な操作により、地図上に指定した視点から見た視野画像情報を表示することができるとされている。
【先行技術文献】
【特許文献】
【０００４】
【特許文献１】特開２０１１−１４０４５号公報
【発明の概要】
【発明が解決しようとする課題】
【０００５】
特許文献１に記載の地図情報表示方法は、使用者が、指を表示パネルの表面に接触させることで、視野画像の表示内容を変更するものであるが、地図画像自体の表示内容を変更するものではなかった。
【０００６】
本発明は、たとえば画像表示装置に地図画像を表示させる場合において、地図画像の表示範囲内に指示手段を接触させて移動させる一動作だけで、地図画像の表示内容を、指示手段の接触位置を基準として変更することが可能な画像表示方法および画像表示装置を提供することを目的とする。
【課題を解決するための手段】
【０００７】
本発明は、画像を表示する表示手段と、画像に接触して該画像の表示を操作する指示手段と、該指示手段が画像に接触した位置および該指示手段の移動方向を検出する操作解析手段とを用いて実行される画像表示方法であって、
前記表示手段によって画像の所望範囲を表示させる画像表示工程と、
前記表示手段によって表示された画像に前記指示手段を接触させ、該指示手段と前記画像との接触状態を保持したまま、該指示手段を移動させる操作指示工程と、
前記操作指示工程において、前記指示手段が前記画像に接触した接触開始位置および前記指示手段の移動方向を前記操作解析手段により検出する操作解析工程と、
前記画像の表示範囲を、前記接触開始位置が前記表示手段にあらかじめ定められる描画基準位置に一致するように移動させるとともに、前記移動方向が前記表示手段の上方に向くように必要な回転量だけ前記表示範囲を回転させた範囲に変更する画像変更工程とを含むことを特徴とする画像表示方法である。
【０００８】
また本発明は、表示パネルと該表示パネルの上に重ねて設けられるタッチパネルとを備える画像表示装置と、前記タッチパネルに接触して画像の表示を操作する指示手段とを用いて実行される画像表示方法であって、
前記表示パネルに画像の所望範囲を表示させる画像表示工程と、
前記タッチパネルに前記指示手段を接触させ、該指示手段と該タッチパネルとの接触状態を保持したまま、該指示手段を該タッチパネル上で移動させる操作指示工程と、
前記指示手段が前記タッチパネルに接触を開始した接触開始位置および前記指示手段の移動方向を前記操作指示工程において検出する操作解析工程と、
前記画像の表示範囲を、前記接触開始位置が前記表示パネルにあらかじめ定められる描画基準位置に一致するように移動させるとともに、前記移動方向が前記表示パネルの上方に向くように必要な回転量だけ前記表示範囲を回転させた範囲に変更する画像変更工程とを含むことを特徴とする画像表示方法である。
【０００９】
また本発明は、表示パネルと該表示パネルに対する接触状態を検出する接触センサとを備える画像表示装置と、前記表示パネルに接触して画像の表示を操作する指示手段とを用いて実行される画像表示方法であって、
前記表示パネルに画像の所望範囲を表示させる画像表示工程と、
前記表示パネルに前記指示手段を接触させ、該指示手段と該表示パネルとの接触状態を保持したまま、該指示手段を該表示パネル上で移動させる操作指示工程と、
前記指示手段が前記表示パネルに接触した接触開始位置および前記指示手段の移動方向を前記操作指示工程の際に前記接触センサによって検出する操作解析工程と、
前記画像の表示範囲を、前記接触開始位置が前記表示パネルにあらかじめ定められる描画基準位置に一致するように移動させるとともに、前記移動方向が前記表示パネルの上方に向くように必要な回転量だけ前記表示範囲を回転させた範囲に変更する画像変更工程とを含むことを特徴とする画像表示方法である。
【００１０】
また本発明は、前記画像が地図画像であることを特徴とする。
また本発明は、自己位置を検出する自己位置検出工程をさらに含み、当該自己位置検出工程で検出した自己位置を示す画像を、前記地図画像に重ねて表示することを特徴とする。
【００１１】
また本発明は、前記描画基準位置は、画像表示範囲内の任意の位置に設定可能であることを特徴とする。
【００１２】
さらにまた本発明は、画像を表示する表示手段と、
画像の表示を操作するための指示手段の位置および該指示手段の移動方向を検出する操作解析手段と、
前記表示手段によって表示された画像に前記指示手段が接触し、該指示手段が該画像との接触状態を保持したまま移動したときに、前記表示手段が表示する画像の表示範囲を、前記操作解析手段が検出した前記指示手段の接触開始位置を前記表示手段にあらかじめ定められる描画基準位置と一致するように移動させるとともに、前記操作解析手段が検出した前記指示手段の移動方向が前記表示手段の上方を向くように必要な回転量だけ前記表示範囲を回転させた範囲に変更する画像変更手段とを備えることを特徴とする画像表示装置である。
【発明の効果】
【００１３】
本発明によれば、指示手段を表示画像に接触させて移動させる動作である操作指示を行うことにより、操作解析手段によって指示手段の接触開始位置および移動方向を検出し、表示手段における画像の表示範囲を、接触開始位置が描画基準位置に一致するように移動させるとともに、指示手段の移動方向が表示パネルの上方を向くように必要量だけ回転させた範囲に変更する。すなわち、一動作だけで、表示手段に表示されている画像の表示内容と表示方向とを、使用者の希望するように直感的に変更することが可能である。
【００１４】
本発明によれば、指示手段をタッチパネルに接触させて移動させる動作である操作指示を行うことにより、タッチパネルによって指示手段の接触開始位置および移動方向を検出し、表示パネルにおける画像の表示範囲を、接触開始位置が描画基準位置に一致するように移動させるとともに、指示手段の移動方向が表示パネルの上方を向くように必要量だけ回転させた範囲に変更する。すなわち、一動作だけで、表示パネルに表示されている画像の表示内容と表示方向とを、使用者の希望するように直感的に変更することが可能である。
【００１５】
また本発明によれば、指示手段を表示パネルに接触させて移動させる動作である操作指示を行うことにより、接触センサによって指示手段の接触開始位置および移動方向を検出し、表示パネルにおける画像の表示範囲を、接触開始位置が描画基準位置に一致するように移動させるとともに、指示手段の移動方向が表示パネルの上方を向くように必要量だけ回転させた範囲に変更する。すなわち、一動作だけで、表示パネルに表示されている画像の表示内容と表示方向とを、使用者の希望するように直感的に変更することが可能である。
【００１６】
また本発明によれば、表示する画像を地図画像とした場合、操作指示を行う際の接触開始位置により指定する地図画像の任意の位置を、描画基準位置に変更し、指示手段の移動方向によって指定する任意の方向を表示パネルの上方とする地図画像を表示させることができる。すなわち、直感的な一動作により、使用者が指定する任意の位置を基準として、使用者が指定する任意の方向の地図範囲を表示させることが可能であるから、非常に利便性の高い地図表示装置を提供することができる。
【００１７】
また本発明によれば、自己位置検出工程で検出した自己位置を表す画像を、地図画像に重ねて表示するから、操作指示により画像の表示内容を変更したときでも、使用者は自分が地図上のどこに位置するかを容易に確認できる。また、表示された自己位置において操作指示すれば、自己位置を描画基準位置とする地図画像を表示させることが可能である。
【００１８】
また本発明によれば、描画基準位置を画像表示範囲内の任意の位置に設定可能であるから、操作指示後に表示させる画像の表示態様を、使用者の要望や使用状況などに応じて自由に設定することが可能である。すなわち、画像表示装置の使い勝手を、使用者が決めることが可能である。
【００１９】
さらにまた本発明によれば、画像を表示する表示手段と、該画像に接触する指示手段の接触位置座標および該指示手段の移動方向を検出する操作解析手段と、画像変更手段とを備えるので、指示手段を表示画像に接触させて移動させる動作である操作指示を行うことにより、操作解析手段によって指示手段の接触開始位置および移動方向を検出し、画像変更手段が、画像の表示範囲を、接触開始位置が描画基準位置に一致するように移動させるとともに、指示手段の移動方向が表示パネルの上方を向くように必要量だけ回転させた範囲に変更する。すなわち、一動作だけで、表示手段に表示されている画像の表示内容と表示方向とを、使用者の希望するように直感的に変更することが可能な画像表示装置を提供することができる。
【図面の簡単な説明】
【００２０】
【図１】本発明に係る画像表示方法の実施に用いられる画像表示装置１の一例の概略構成を示すブロック図である。
【図２】本発明の第１の実施形態に係る画像表示方法を説明するフローチャートである。
【図３】本発明の第１の実施形態に係る画像表示方法の実施要領を説明するための、画像表示装置１の表示部１０を抜き出して示す正面図であって、図３（ａ）は操作指示前の地図画像を表示している状態、図３（ｂ）は操作指示をしている状態、図３（ｃ）は操作指示後の変更された地図画像を表示している状態をそれぞれ示すものである。
【図４】本発明の第２の実施形態に係る画像表示方法の実施要領を説明するための、画像表示装置１の表示部１０を抜き出して示す正面図であって、図４（ａ）は描画基準位置Ｓを示すもの、図４（ｂ）は地図画像に指示手段の接触開始位置Ｐおよび移動方向を併せて示すもの、図４（ｃ）は操作指示後の変更された地図画像を表示している状態を示すものである。
【図５】本発明の第３の実施形態に係る画像表示方法の実施要領を説明するための、画像表示装置１の表示部１０を抜き出して示す正面図であって、図５（ａ）は描画基準位置Ｓを示すもの、図５（ｂ）は地図画像に指示手段の接触開始位置Ｑおよび移動方向を併せて示すもの、図５（ｃ）は操作指示後の変更された地図画像を表示している状態を示すものである。
【図６】本発明の第４の実施形態に係る画像表示方法の実施要領を説明するための、画像表示装置１の表示部１０を抜き出して示す正面図であって、図６（ａ）は、立体表示された地図画像に指示手段の接触開始位置Ｒおよび移動方向を併せて示すもの、図６（ｂ）は操作指示後の変更された地図画像を表示している状態を示すものである。
【発明を実施するための形態】
【００２１】
本発明の実施形態を、表示する画像を地図画像とする場合について説明する。なお本発明が表示対象とする画像は、地図画像に限定されるものではない。また、表示対象とする画像は、表示対象領域が表示画面よりも大きく、任意の方向が意味を有するような性質を持つものとするのが好ましい。
【００２２】
（第１の実施形態）
図１は、本発明に係る画像表示方法の実施に用いる画像表示装置１の一例の概略構成を示すブロック図である。画像表示装置１には、たとえばタブレット型ＰＣ、ノート型ＰＣ、デスクトップ型ＰＣ、ＰＤＡ、携帯電話装置、スマートフォン装置、カーナビゲーション装置などが適用される。
【００２３】
画像表示装置１は、表示パネル１１とタッチパネル１２とを含む表示部１０と、画像表示に関する機能および画像の表示内容を変更する機能を有する制御部２０と、地図画像を表示するのに必要な地図表示プログラムおよび地図データベースが格納された記憶部３０と、入力部４０と、位置検出部５０とを備えて成る。
【００２４】
本実施形態の表示部１０は、画像を表示する表示パネル１１の上に、タッチパネル１２を重ねて配設することにより構成される。表示パネル１１は、液晶パネルや有機ＥＬパネルなどが用いられる。タッチパネル１２は、表面における指またはタッチペンなどの指示手段の接触位置を検出して、制御部２０へ検出信号を出力するものである。
【００２５】
制御部２０は、接触検出部２１、操作解析部２２、演算処理部２３、画像形成部２４、および表示処理部２５を含んでなる。なお制御部２０は、全体を１つの制御装置で構成することも可能である。操作解析部２２が操作解析手段を構成し、演算処理部２３、画像形成部２４、および表示処理部２５が、画像変更手段を構成する。
【００２６】
接触検出部２１は、指示手段の接触によってタッチパネル１２から出力される検出信号が入力され、検出信号のうちから、エラー信号を除去して、指示手段の接触によるものを特定する。操作解析部２２は、接触検出部２１で指示手段の接触によるものと特定した検出信号に基づき、指示手段の接触開始位置を特定するとともに、接触位置の時間的変化に基づいて、指示手段の移動方向および移動速度を判定する。
【００２７】
演算処理部２３は、操作解析部２２で取得した接触開始位置情報、移動方向情報および移動速度情報に基づいて、画像の表示内容を決定する演算を行う。すなわち、指示手段の接触開始位置、移動方向および移動速度に応じて、表示すべき画像データを選択し、また画像データの加工内容を決定する。
【００２８】
画像形成部２４は、演算処理部２３の演算結果に基づいて、表示すべき画像データを作成する。表示処理部２５は、画像形成部２４で作成した画像データを、表示パネル１１で表示可能な画像信号に変換する。
【００２９】
記憶部３０の地図表示プログラムは、地図データベースに蓄積されている地図画像データを表示パネル１１に表示させるためのものであって、表示させる地図の種類の選択、地図表示させる地域および範囲の設定、表示させた地図画像の縮尺の変更、地図画像の回転などの修飾処理、その他、地図表示に有用な操作を行うためのプログラムである。
【００３０】
画像表示装置１には、画像表示装置１に動作指令を入力したり、地図表示内容を変更する指示を入力したり、描画基準位置の設定などの設定情報を入力したりするためのキーボードやマウスなどで実現される入力部４０が備えられる。上記のタッチパネル１２が、入力部４０を兼ねるように構成してもよい。
【００３１】
さらに画像表示装置１には、自己位置を検出する位置検出部５０が備えられる。位置検出部５０は、たとえばＧＰＳ（Global Positioning System）を利用して構築される。検出した自己位置は、適宜の画像によって、地図画像に重ねて表示することができる。
【００３２】
次に、本発明に係る画像表示方法の実施要領を、図２および図３に基づいて説明する。図２は、本発明の第１の実施形態に係る画像表示方法を説明するフローチャートであり、図３は、本発明の第１の実施形態に係る画像表示方法の実施要領を説明するための、画像表示装置１の表示部１０を抜き出して示す正面図であって、図３（ａ）は操作指示前の地図画像を表示している状態、図３（ｂ）は操作指示をしている状態、図３（ｃ）は操作指示後の変更された地図画像を表示している状態をそれぞれ示すものである。なお表示部１０は、表面がタッチパネル１２で構成され、その裏面に、画像を表示する表示パネル１１が配置されたものである。
【００３３】
図２および図３（ａ）に示すように、はじめに画像表示工程を行って、画像表示装置１の表示パネル１１に地図画像の所望範囲を表示させる（ステップＳ１）。これは、入力部４０からの指示に基づき、制御部２０が、記憶部３０から読み出した地図表示プログラムと地図データベースとに基づき、適宜処理を行うことで実行される。地図画像の表示範囲は、ＧＰＳなどを利用する位置検出部５０が検出した自己位置を基準とするものでも、使用者が指定した地域のものであってもよい。また、最初に地図画像を表示させるときは、たとえば、北側が表示パネル１１の上方となるように表示するとよい。
【００３４】
また本実施形態では、位置検出部５０が自己位置検出工程を行って、図３（ａ）に示すように、表示部１０に表示させる画像の描画基準位置Ｓに、位置検出部５０で取得した自己位置を表示する処理がなされている。したがって、使用者が画像表示装置１を携帯して移動すると、移動に伴って順次更新される自己位置は、描画基準位置Ｓであるから、画面内で移動せず、周囲の地図画像が使用者の移動にあわせて移動する表示が行われる。
【００３５】
続いて、使用者が操作指示工程を実行することにより、画像表示装置１が、操作検出を開始する（ステップＳ２）。すなわち、タッチパネル１２から出力される検出信号に基づいて、操作解析部２２により、操作指示が行われたか否かを判定する。判定基準は、たとえば、指示手段Ｕのタッチパネル１２に対する移動速度、および、指示手段Ｕのタッチパネル１２上の移動距離などである。指示手段Ｕの移動速度が基準値より大きく、かつ、移動距離が基準値より小さいときに、操作指示であると判定する（ステップＳ３）。
【００３６】
操作指示工程は、図３（ｂ）に示すように、表示部１０に地図画像が表示されている状態において、使用者が、指またはタッチペンなどの指示手段Ｕをタッチパネル１２に接触させ、接触状態を保ったまま、指示手段Ｕをタッチパネル１２上で滑らせるように移動させる操作指示を実行する工程である。本実施形態では、指示手段Ｕを、描画基準位置Ｓに表示される自己位置に接触させたのち、表示部１０の上下方向に対し垂直に右方向へ移動させる操作指示を行うものとする。
【００３７】
次に、操作解析工程を行う。具体的には、操作解析部２２が、指示手段Ｕの接触が操作指示であると判定したときに、指示手段Ｕがタッチパネル１２に接触を開始した接触開始位置と、指示手段Ｕの移動方向とを検出する（ステップＳ４，Ｓ６）。図３（ｂ）に示す本実施形態では、接触開始位置が描画基準位置Ｓであり、移動方向は、表示部１０の上下方向に対し垂直な直線Ｌ１−Ｌ２の右側（Ｌ１側）であると判定される。
【００３８】
最後に、画像変更工程を行う。これは、操作解析工程で取得した操作部Ｕの接触開始位置情報と移動方向情報とに基づいて、地図画像の表示範囲を変更する工程である。演算処理部２３によって、記憶部３０の地図データベースから、接触開始位置に対応する部分を含む地図画像データを読み出す。そして、この地図画像データに対し、接触開始位置に対応する座標を描画基準位置Ｓに一致させる処理と、操作部Ｕの移動方向と表示パネル１１の上下方向とのなす角度を算出し、この角度に基づいて、移動方向が表示パネル１１の上方を向くように画像を回転させる処理とを施した変更画像データを作成し、これを表示パネル１１に表示させる（ステップＳ５，Ｓ７）。
【００３９】
これにより本実施形態では、操作指示の結果、図３（ｃ）に示すように、接触開始位置である描画基準位置Ｓを中心として、指示手段Ｕの移動方向を示す直線Ｌ１−Ｌ２のＬ１側が表示パネル１１の上方となるように、元の地図画像を反時計回りに９０度回転させた地図画像が表示される（ステップＳ８）。
【００４０】
このように本実施形態によれば、地図画像が表示されている表示部１０に対し単純な操作指示をするだけで、地図画像の表示範囲および向きを変更することができるから、一動作で地図表示を所望する内容に切り替えることが可能な地図表示装置を提供できる。
【００４１】
なお、指示手段Ｕで、タッチパネル１２に対し、直線的な速い移動操作以外の接触操作をすることにより、画像表示装置１が規定の表示動作を実行するよう設定してもよい。たとえば、接触手段Ｕでタッチパネル１２上に円を描く操作により、地図画像を１８０度回転させることが考えられる。指示手段Ｕをタッチパネル１２上で基準値以下の移動速度で移動させる操作をしたときは、指示手段Ｕの移動に合わせて地図画像を移動させることが考えられる。さらには、接触手段Ｕでタッチパネル１２を２回叩く操作により、地図画像の表示をリセットして、直前の表示状態にもどすことが考えられる。
【００４２】
（第２の実施形態）
図４は、本発明の第２の実施形態に係る画像表示方法の実施要領を説明するための、画像表示装置１の表示部１０を抜き出して示す正面図であって、図４（ａ）は描画基準位置Ｓを示すもの、図４（ｂ）は地図画像に操作指示を行う接触開始位置Ｐおよび移動方向を示したもの、図４（ｃ）は操作指示後の変更された地図画像を表示している状態を示すものである。
【００４３】
本実施形態は、図４（ａ）にＳで示す位置を描画基準位置Ｓに設定した場合において、図４（ｂ）に示す操作指示を行ったものである。すなわち、本実施形態の操作指示は、描画基準位置Ｓから離れた位置Ｐを指示手段Ｕの接触開始位置Ｐとし、右上がりの直線Ｍ１−Ｍ２におけるＭ１側を指示手段Ｕの移動方向とするものである。
【００４４】
この操作指示により、図４（ｃ）に示すごとく、地図画像上の接触開始位置Ｐに対応する座標を描画基準位置Ｓに一致させるとともに、指示手段Ｕの移動方向を示す直線Ｍ１−Ｍ２のＭ１側が表示パネル１１の上方を向くように回転させた地図画像が表示される。
【００４５】
本実施例においては、地図画像が表示されている表示部１０の任意位置において操作指示を行うだけで、接触開始位置Ｐを描画基準位置Ｓに変更し、かつ、指示手段Ｕの移動方向が表示パネル１１の上方を向くように地図画像の表示範囲および向きを変更することができる。すなわち、一動作で、描画基準位置Ｓから離れた任意の位置を描画基準位置Ｓとし、かつ、画像の向きも変更できるので、地図画像を、所望する内容に容易に切り替えることができる。
【００４６】
（第３の実施形態）
図５は、本発明の第３の実施形態に係る画像表示方法の実施要領を説明するための、画像表示装置１の表示部１０を抜き出して示す正面図であって、図５（ａ）は描画基準位置Ｓを示すもの、図５（ｂ）は地図画像に操作指示を行う接触開始位置Ｑおよび移動方向を示したもの、図５（ｃ）は操作指示後の変更された地図画像を表示している状態を示すものである。
【００４７】
本実施形態は、描画基準位置Ｓを、表示パネル１１の下端中央部に設定するとともに、画像表示装置１の自己位置を示す画像Ｙを、地図画像に重ねて表示した例を示すものである。画像を表示させる際の描画基準位置Ｓを表示パネル１１の任意の位置に設定可能とすることにより、使用者の要望に応じた画像変更が可能となる。本実施形態では、図５（ａ）に示すように、描画基準位置Ｓを、表示パネル１１の下端中央部に設定した。そのため、図５（ｂ）に示すごとく、指示手段Ｕの接触開始位置をＱとし、指示手段Ｕの移動方向を直線Ｎ１−Ｎ２のＮ１側とする操作指示を行ったときに、図５（ｃ）に示すように、接触開始位置Ｑが表示パネル１１の下端に位置するので、地図画像の表示範囲を、接触開始位置ＱからＮ１側を見た広い範囲とすることができる。
【００４８】
また本実施形態では、位置検出部５０が取得する自己位置を示す画像Ｙを、地図画像の表示範囲内に重ねて表示するので、使用者は、操作指示による変更後の地図画像における自己位置を確認するのが容易である。
【００４９】
（第４の実施形態）
図６は、本発明の第４の実施形態に係る画像表示方法の実施要領を説明するための、画像表示装置の画像表示部分を抜き出して示す正面図であって、図６（ａ）は、立体表示された地図画像に操作指示を行う接触開始位置Ｒおよび移動方向を示したもの、図６（ｂ）は操作指示後の変更された地図画像を示すものである。
【００５０】
本実施形態は、表示される地図画像を、立体的画像としたものである。表示パネル１１の下方中央部に描画基準位置Ｓが設定され、図６（ａ）に示すごとく、指示手段Ｕの接触開始位置をＲとし、指示手段Ｕの移動方向を直線Ｔ１−Ｔ２のＴ１側とする操作指示を行った場合、表示される変更画像は、図６（ｂ）のごとくとなる。
【００５１】
（その他の実施形態）
図示は省略するが、表示パネル１１に、表示パネル１１の表面に接する物体を検出する接触センサを設けることにより、タッチパネル１２を省略する構成も可能である。接触センサの例としては、表示パネル１１の背面側から光を投射し、表示パネル１１を透過して表面で反射する反射光を検出する光センサ、複数の赤外線発光装置と受光装置とからなり赤外線が遮断された位置を接触位置として検出する赤外線遮断方式の光センサなどが挙げられる。
【００５２】
自己位置を示す画像Ｙを地図画像に重ねて表示する場合は、操作指示による変更後の地図画像内に必ず自己位置を示す画像Ｙが表示されるように、地図画像の縮尺を自動的に修正する機能を備えてもよい。これにより、変更後の地図画像内で、自己位置を常に確認することができる。
【００５３】
本発明を、たとえばナビゲーションシステムに適用した場合、指１本の操作指示という一動作により、使用者が位置していない任意の位置を基準として、意図する方向を上向きとする地図表示に切り替えることができるから、目的地までの経路表示が非常に分かり易いナビゲーションシステムを提供することができる。
【００５４】
さらに本発明は、ホログラムなどの空中投影表示やＡＲ（Augmented Reality 拡張現実）表示などの手法により、表示パネルを使用せずに空間に２次元または３次元の画像を表示する表示手段と、赤外線センサにより手や指などの空間座標と移動方向とを検知する手段や、空中マウスやワイヤレスコントローラにより空間画像上に重ねて表示させたポインタを移動させる手段などの、空間内における操作指示を検出することが可能な操作解析手段とを用いて、画像表示装置を構成することも可能である。
【００５５】
かかる実施形態にあっては、表示手段によって空中に表示された画像に、指やポインタなどの指示手段を接触させ、接触状態を保持したまま該指示手段を移動させる操作指示工程を行う。これにより、空間画像上における指示手段の接触開始位置および移動方向を操作解析手段が検出し、画像変更手段により、画像の表示範囲を、指示手段の接触開始位置をあらかじめ定められる描画基準位置に一致するように移動させるとともに、指示手段の移動方向が表示手段の上方を向くように回転させた表示範囲に変更する画像変更工程を実行する。
【符号の説明】
【００５６】
１  画像表示装置
１０  表示部
１１  表示パネル
１２  タッチパネル
２０  制御部
２１  接触検出部
２２  操作解析部
２３  演算処理部
２４  画像形成部
２５  表示処理部
３０  記憶部
４０  入力部
５０  位置検出部
Ｐ  接触開始位置
Ｑ  接触開始位置
Ｒ  接触開始位置
Ｓ  描画基準位置
【図１】
2014052817.tif 000003
【図２】
2014052817.tif 000004
【図３】
2014052817.tif 000005
【図４】
2014052817.tif 000006
【図５】
2014052817.tif 000007
【図６】
2014052817.tif 000008